(57)【特許請求の範囲】
【請求項１】
複数の調査世帯装置間の通信により、視聴・聴取・接触されたテレビ、ラジオ、ウェブ又はその他のコンテンツの視聴率・聴取率・接触率又はその他の接触状況を得るための分散型照合システムにおいて、
複数のグループに割り当てられた複数の調査世帯装置の各々は、
コンテンツの視聴機器と、
調査用の端末と、
を備え、
前記端末は、
放送時間若しくは時刻及びチャンネルコード及び音声若しくは映像種別毎に、グループ内の端末番号を記憶するマスターテーブルと、
予め設定されたマスターのコンテンツに関して、端末番号、チャンネルコード、音声若しくは映像種別、放送時間若しくは時刻、音声又は映像信号から特徴となる成分を抽出したマスター特徴化データを含む局別マスターデータを記憶する局別マスターデータ記憶部と、
視聴されたコンテンツに関して、端末番号、データ採取時刻、音声又は映像信号から特徴となる成分を抽出した特徴化データを含む端末データを記憶する端末データ記憶部と、
端末番号と、チャンネルコード、音声若しくは映像種別、放送時間若しくは時刻、及び、特徴化データを含む視聴状況データを記憶する視聴状況データ記憶部と、
照合部と
を備え、
前記照合部は、前記視聴状況データのテーブルから照合すべき時刻について、端末データの特徴化データと、自己の持つ局別マスターデータのマスター特徴化データとを比較する照合処理を実行し、照合された場合は、該局別マスターデータで特定されたコンテンツを視聴していると判断し、
前記照合部は、照合されなかった場合、前記マスターテーブルを検索し、検索されたグループ内の照合先の端末に、照合先の端末番号、チャンネルコード、放送時間若しくは時刻、音声若しくは映像種別、照合時刻、要求元の端末番号、特徴化データを含む照合要求データを送信し、
照合先の端末の照合部は、照合要求データの特徴化データと、自己の持つ局別マスターデータのマスター特徴化データとを比較する照合処理を実行し、照合先の端末番号と、チャンネルコード、放送時間若しくは時刻、音声若しくは映像種別、比較時刻、要求元の端末番号、類似度を含む照合結果データを返信し、
前記照合部は、同一グループに一致又は類似する局別マスターデータが照合されなかった場合は、グループ毎に各グループに属する端末番号を記憶したグループリストを参照し、別のグループの端末に対して別のグループのマスターテーブルを要求し、
前記照合部は、別のグループのマスターテーブルを受信すると、該別のグループのマスターテーブルを元に、別のグループの端末に前記照合要求データを送信し、
照合要求データを受けた別のグループの端末の照合部は、前記照合処理を実行し、照合結果データを返信する
ことにより、前記コンテンツの視聴機器により視聴されたコンテンツを照合し、視聴状況データを前記視聴状況データ記憶部に記憶する分散型照合システム。
【請求項２】
請求項１に記載の分散型照合システムにおいて、
前記端末は、さらに、
グループコード、グループ内順位、端末番号を対応して記憶したグループテーブルと、
処理部と、
を備え、
前記処理部は、予め定められた周期又は監視タイミングによるマスター確認時刻になると、前記グループテーブルを参照し、
グループ内順位が1位の場合、
前記処理部は、同一グループ内の複数の他の端末を宛先として、確認要求を送り、
前記処理部は、各々の前記他の端末から送信された、確認要求に応答するための、前記他の端末の端末番号、グループコード、グループ内順位を含む確認応答を受信し、
前記処理部は、確認応答に基づき、前記グループテーブルに各々の前記他の端末番号に対してグループ内順位を記憶し、
前記処理部は、前記グループテーブルを同一グループ内の複数の前記他の端末を宛先として送信し、前記他の端末に前記グループテーブルを記憶させ、
前記処理部は、放送時間若しくは時刻に対応するチャンネルコード及び音声若しくは映像種別を含む放送予定表を取得し、
前記処理部は、前記放送予定表及び前記グループテーブルに基づき、放送時間若しくは時刻及びチャンネルコード及び音声若しくは映像種別毎に、グループ内の端末番号を割り当て、前記マスターテーブルを作成及び記憶し、
前記処理部は、前記マスターテーブルを、同一グループ内の複数の前記他の端末へ送信し、
各々の前記他の端末に、受信した前記マスターテーブルを記憶させ、該マスターテーブルで割り当てられた放送時間若しくは時刻及びチャンネルコード及び音声若しくは映像種別に従い、放送信号を受信して、前記局別マスターデータを作成し、前記局別マスターデータ記憶部に記憶する
ことを特徴とする分散型照合システム。
【請求項３】
請求項２に記載の分散型照合システムにおいて、
グループ順位が１位の場合、
前記処理部は、同一グループ内の複数の他の端末を宛先として送った確認要求に対して、予め定められたタイムアウトになっても応答端末が１台も無いとき、自己のグループ順位を最下位の順位にすることを特徴とする分散型照合システム。
【請求項４】
請求項２又は３に記載の分散型照合システムにおいて、
グループ内順位が1位でない場合、
前記処理部は、同一グループ内のグループ内順位が1位の端末から、前記確認要求を受信すると、自端末の端末番号、グループコード、グループ内順位を含む確認応答を送信し、
前記処理部は、前記確認要求の受信がタイムオーバーすると、自端末のグループ内順位を繰り上げる
ことを特徴とする分散型照合システム。
【請求項５】
請求項２乃至４のいずれかに記載の分散型照合システムにおいて、
前記確認要求を、グループ内の次の順位の端末に順次送信する、又は、グループ内の端末に同報することを特徴とする分散型照合システム。
【請求項６】
請求項２乃至５のいずれかに記載の分散型照合システムにおいて、
前記予め定められた監視タイミングは、前記放送予定表が変更されたことを検出したタイミングであることを特徴とする分散型照合システム。
【請求項７】
請求項２乃至６のいずれかに記載の分散型照合システムにおいて、
前記処理部は、受信した確認応答により設定された前記グループテーブル中のデータを用いて、確認応答を受信しなかった端末番号のデータを除いてグループ内順位を割り当てて、前記グループテーブルを更新することを特徴とする分散型照合システム。
【請求項８】
請求項２乃至７のいずれかに記載の分散型照合システムにおいて、
前記処理部は、前記マスターテーブルを作成する際、端末の割当ては、チャネルに応じて、予め定められた数及び/又は割合の端末を割り当てることを特徴とする分散型照合システム。
【請求項９】
請求項２乃至８のいずれかに記載の分散型照合システムにおいて、
新たに設置された端末又は前記グループテーブルから漏れた端末は、マスター確認時刻に、端末が前記確認応答を送信することで、グループに加わることを特徴とする分散型照合システム。
【請求項１０】
請求項２乃至９のいずれかに記載の分散型照合システムにおいて、
新たに設置された端末又は前記グループテーブルから漏れた端末は、そのグループのいずれかの端末からグループテーブルを採取して、その時点のグループ順位1位の端末に端末追加要求を送信し、
グループ順位1位の端末は、端末追加要求を送信した端末を最下位順位とした新たな前記グループテーブルを作成し、次回のマスター確認時刻に参照する
ことを特徴とする分散型照合システム。
【請求項１１】
請求項１乃至１０のいずれかに記載の分散型照合システムにおいて、
前記照合部は、他の端末に対して、チャンネルコード及び／又は音声若しくは映像種別の予め設定された優先順に従い、照合要求データを送信することを特徴とする分散型照合システム。
【請求項１２】
請求項１乃至１１のいずれかに記載の分散型照合システムにおいて、
前記照合部は、照合結果データを受信しなかった場合、前記マスターテーブルを参照し、同じ局別マスターデータを持つ同一グループの別の端末に照合要求データを送信することを特徴とする分散型照合システム。
【請求項１３】
請求項１乃至１２のいずれかに記載の分散型照合システムにおいて、
前記照合部は、前記マスターテーブルを参照して、照合要求データの送信先の端末を、放送時間若しくは時刻及びチャンネルコード及び音声若しくは映像種別毎に、グループ内の端末番号をひとつ選択又はチャンネルコード毎に予め定められた数選択して、選択された端末番号に照合要求データを送信することを特徴とする分散型照合システム。
【請求項１４】
請求項１乃至１３のいずれかに記載の分散型照合システムにおいて、
照合要求データを受信した端末の前記照合部は、
照合要求データで指定されたデータ採取時刻及び／又は照合開始時刻に基づく予め定められた時刻範囲においてマスターデータを局別マスターデータ記憶部から読み出し、照合要求データの特徴化データと局別マスターデータの特徴化データを順次照合し、
照合要求データの要求元端末番号、データ採取時刻を用い、最も類似度が高い局別マスターデータの、チャンネルコード、音声若しくは映像種別、放送時間若しくは時刻を用い、その類似度を設定して、照合結果データを作成し、
要求元の端末へ照合結果データを送信し、
端末の前記照合部は、
照合要求データを送信した複数又は全ての端末から照合結果データを受信し、規定値以上の類似度のある局別マスターデータを検出したら、照合結果データの、チャンネルコード、音声若しくは映像種別、放送時間若しくは時刻を前記視聴状況データに書き込む
ことを特徴とする分散型照合システム。
【請求項１５】
請求項１乃至１４のいずれかに記載の分散型照合システムにおいて、
リアルタイム視聴を調査する場合は、照合開始時刻はデータ採取時刻と一致又はその前後予め定められた時間若しくは時刻とし、一方、タイムシフト視聴を含めて調査する場合の照合開始時刻はデータ採取時刻より予め定められた時間若しくは時刻遡った時刻とすることを特徴とする分散型照合システム。
【請求項１６】
請求項１乃至１５のいずれかに記載の分散型照合システムにおいて、
前記特徴化データは、各通過帯域別の平均振幅を対数変換したパワーのベクトルであることを特徴とする分散型照合システム。
【請求項１７】
請求項１乃至１６のいずれかに記載の分散型照合システムにおいて、
前記複数の調査世帯装置から受信した視聴状況データを端末番号毎に区分けした上で、端末視聴機器データとして端末視聴機器データ記憶部に記憶する端末データ収集部と、
前記端末視聴機器データ記憶部から端末視聴機器データを読み出し、各局および各コンテンツごとに視聴率データを集計し、視聴率データとして視聴率データ記憶部へ記憶する集計部と、
を有する集計センターを、さらに備えたことを特徴とする分散型照合システム。
【請求項１８】
複数の調査世帯装置間の通信により、視聴・聴取・接触されたテレビ、ラジオ、ウェブ又はその他のコンテンツの視聴率・聴取率・接触率又はその他の接触状況を得るための分散型照合システムにおいて、
複数のグループに割り当てられた複数の調査世帯装置の各々は、
コンテンツの視聴機器と、
調査用の端末と、
を備え、
前記端末は、
放送時間若しくは時刻及びチャンネルコード及び音声若しくは映像種別毎に、グループ内の端末番号を記憶するマスターテーブルと、
予め設定されたマスターのコンテンツに関して、端末番号、チャンネルコード、音声若しくは映像種別、放送時間若しくは時刻、音声又は映像信号から特徴となる成分を抽出したマスター特徴化データを含む局別マスターデータを記憶する局別マスターデータ記憶部と、
視聴されたコンテンツに関して、端末番号、データ採取時刻、音声又は映像信号から特徴となる成分を抽出した特徴化データを含む端末データを記憶する端末データ記憶部と、
端末番号と、チャンネルコード、音声若しくは映像種別、放送時間若しくは時刻、及び、特徴化データを含む視聴状況データを記憶する視聴状況データ記憶部と、
照合部と
を備えた、分散型照合システムにおける分散型照合方法であって、
前記照合部は、前記視聴状況データのテーブルから照合すべき時刻について、端末データの特徴化データと、自己の持つ局別マスターデータのマスター特徴化データとを比較する照合処理を実行し、照合された場合は、該局別マスターデータで特定されたコンテンツを視聴していると判断し、
前記照合部は、照合されなかった場合、前記マスターテーブルを検索し、検索されたグループ内の照合先の端末に、照合先の端末番号、チャンネルコード、放送時間若しくは時刻、音声若しくは映像種別、照合時刻、要求元の端末番号、特徴化データを含む照合要求データを送信し、
照合先の端末の照合部は、照合要求データの特徴化データと、自己の持つ局別マスターデータのマスター特徴化データとを比較する照合処理を実行し、照合先の端末番号と、チャンネルコード、放送時間若しくは時刻、音声若しくは映像種別、比較時刻、要求元の端末番号、類似度を含む照合結果データを返信し、
前記照合部は、同一グループに一致又は類似する局別マスターデータが照合されなかった場合は、グループ毎に各グループに属する端末番号を記憶したグループリストを参照し、別のグループの端末に対して別のグループのマスターテーブルを要求し、
前記照合部は、別のグループのマスターテーブルを受信すると、該別のグループのマスターテーブルを元に、別のグループの端末に前記照合要求データを送信し、
照合要求データを受けた別のグループの端末の照合部は、前記照合処理を実行し、照合結果データを返信する
ことにより、前記コンテンツの視聴機器により視聴されたコンテンツを照合し、視聴状況データを前記視聴状況データ記憶部に記憶する分散型照合方法。
【発明の詳細な説明】
【技術分野】
【０００１】
本発明は、分散型照合システム及び方法に係り、特に、マスターデータ作成および端末データとの照合を複数の調査世帯装置に分散して設置したメディア接触状の分散型照合システム及び方法に関する。
【背景技術】
【０００２】
従来より、放送波を常時監視することで、その監視結果を視聴率や聴取率集計に反映させるシステムが開示されている。
図２８に、従来のメディア接触率調査システムの構成図を示す（特許文献１参照。）。
従来のメディア接触率調査システムは、例えば、モニタ施設１００と、計算施設２００と、調査対象者宅内装置３００を備える。計算施設２００は、例えば、コンピューター２２１と、インターフェイス（Ｉ／Ｆ）２２２及び２２３と、記憶部２２４を有する。
【０００３】
モニタ施設１００は、放送の受信信号から放送識別信号を抽出し、放送識別信号の品位を示す品位データを作成して、出力する。計算施設２００は、モニタ施設１００から品位データをインターフェイス２２３を経て入力し、調査対象者宅内装置３００からインターフェイス２２３を経て視聴率・聴取率に関するログデータを入力する。計算施設２００のコンピューター２２１は、受信したログデータに基づいて時間毎の視聴率・聴取率を求め、品位データに基づいて、正常に放送及び放送識別信号が受信されない時間を識別し、その時間に対応する作成された記憶部２２４の視聴率・聴取率を補正して、視聴率・聴取率に関する集計データファイルに記憶し、出力する。
【０００４】
その他、特許文献２には、各車両が、所定の測定開始時刻毎に、一定時間にわたってカーラジオの再生オーディオ信号の特徴量と測定時期とを含む測定データを記録し、後刻にまとめて調査センタに送信することにより、カーラジオの聴取状況を正確に調査できるカーラジオ聴取状況調査システムが開示されている。
【先行技術文献】
【特許文献】
【０００５】
【特許文献１】特開２００２−１８５４１６号公報
【特許文献２】特開平１１−２７５０３２号公報
【発明の概要】
【発明が解決しようとする課題】
【０００６】
“調査対象者の視聴機器”から採取した音声や映像データを、“マスターデータ作成センター”で作成したマスターデータと照合させる「センターマッチング技術」は従来から多く提案されている。この方式でテレビやラジオの放送の接触状況を調査するには、放送エリアごとに時間稼働可能な“マスターデータ作成センター”を設置する必要があり、全国規模での調査を行うと設置／運営費用が膨れてしまう場合がある。
【０００７】
また、マスターデータが無ければ調査が成立しなくなるため、１放送エリアに１ヶ所の“マスターデータ作成センター”では災害時等の影響が伴うことが想定される。
マスターデータは、チャンネルごとに持つ必要がある。しかし、同一放送局や同一コンテンツプロバイダであっても、例えば、時間帯によってチャンネル数が変わったり、同一番組ながら音声部分や映像部分だけがチャンネルごとに違ったりする場合がある。また、同一チャンネルであっても、番組によって２カ国語放送だったり、マルチ音声（例えば野球中継などで、第一音声は「普通」の解説、第二音声は「ホームチームひいき解説」の解説、第三音声は「解説無し」など）になったりする場合がある。
これらの全てのケースに対応出来るように“固定的”にマスター用のチャンネルを割り当てると、マスター作成装置が膨大になってしまう。
【０００８】
本発明は、以上の点に鑑み、調査世帯に局別のマスター作成機能を備え、マスター用のチャンネルを固定的でなく割り当てるようにして、視聴コンテンツを照合するための分散型照合システム及び方法を提供することを目的のひとつとする。
また、本発明は、一部の調査世帯に局別のマスター作成装置を備えることにより、マスターデータ作成装置の設置／運営費用を抑え、障害・災害時等に対応可能な分散型照合システム及び方法を提供することを他の目的とする。
また、本発明は、災害、世帯の停電等の障害、通信障害などにより所望の局のマスターデータが取得出来なくなることを防止することを他の目的とする。
さらに、本発明は、音声や映像データのマスターデータとの照合を調査世帯の端末で行いセンター設備の照合部が不必要となるため、センター設備に高性能な機器を用意する必要が無くなることを他の目的とする。
【課題を解決するための手段】
【０００９】
本発明の第１の解決手段によると、
複数の調査世帯装置間の通信により、視聴・聴取・接触されたテレビ、ラジオ、ウェブ又はその他のコンテンツの視聴率・聴取率・接触率又はその他の接触状況を得るための分散型照合システムにおいて、
複数のグループに割り当てられた複数の調査世帯装置の各々は、
コンテンツの視聴機器と、
調査用の端末と、
を備え、
前記端末は、
放送時間若しくは時刻及びチャンネルコード及び音声若しくは映像種別毎に、グループ内の端末番号を記憶するマスターテーブルと、
予め設定されたマスターのコンテンツに関して、端末番号、チャンネルコード、音声若しくは映像種別、放送時間若しくは時刻、音声又は映像信号から特徴となる成分を抽出したマスター特徴化データを含む局別マスターデータを記憶する局別マスターデータ記憶部と、
視聴されたコンテンツに関して、端末番号、データ採取時刻、音声又は映像信号から特徴となる成分を抽出した特徴化データを含む端末データを記憶する端末データ記憶部と、
端末番号と、チャンネルコード、音声若しくは映像種別、放送時間若しくは時刻、及び、特徴化データを含む視聴状況データを記憶する視聴状況データ記憶部と、
照合部と
を備え、
前記照合部は、前記視聴状況データのテーブルから照合すべき時刻について、端末データの特徴化データと、自己の持つ局別マスターデータのマスター特徴化データとを比較する照合処理を実行し、照合された場合は、該局別マスターデータで特定されたコンテンツを視聴していると判断し、
前記照合部は、照合されなかった場合、前記マスターテーブルを検索し、検索されたグループ内の照合先の端末に、照合先の端末番号、チャンネルコード、放送時間若しくは時刻、音声若しくは映像種別、照合時刻、要求元の端末番号、特徴化データを含む照合要求データを送信し、
照合先の端末の照合部は、照合要求データの特徴化データと、自己の持つ局別マスターデータのマスター特徴化データとを比較する照合処理を実行し、照合先の端末番号と、チャンネルコード、放送時間若しくは時刻、音声若しくは映像種別、比較時刻、要求元の端末番号、類似度を含む照合結果データを返信し、
前記照合部は、同一グループに一致又は類似する局別マスターデータが照合されなかった場合は、グループ毎に各グループに属する端末番号を記憶したグループリストを参照し、別のグループの端末に対して別のグループのマスターテーブルを要求し、
前記照合部は、別のグループのマスターテーブルを受信すると、該別のグループのマスターテーブルを元に、別のグループの端末に前記照合要求データを送信し、
照合要求データを受けた別のグループの端末の照合部は、前記照合処理を実行し、照合結果データを返信する
ことにより、前記コンテンツの視聴機器により視聴されたコンテンツを照合し、視聴状況データを前記視聴状況データ記憶部に記憶する分散型照合システムが提供される。
【００１０】
本発明の第２の解決手段によると、
複数の調査世帯装置間の通信により、視聴・聴取・接触されたテレビ、ラジオ、ウェブ又はその他のコンテンツの視聴率・聴取率・接触率又はその他の接触状況を得るための分散型照合システムにおいて、
複数のグループに割り当てられた複数の調査世帯装置の各々は、
コンテンツの視聴機器と、
調査用の端末と、
を備え、
前記端末は、
放送時間若しくは時刻及びチャンネルコード及び音声若しくは映像種別毎に、グループ内の端末番号を記憶するマスターテーブルと、
予め設定されたマスターのコンテンツに関して、端末番号、チャンネルコード、音声若しくは映像種別、放送時間若しくは時刻、音声又は映像信号から特徴となる成分を抽出したマスター特徴化データを含む局別マスターデータを記憶する局別マスターデータ記憶部と、
視聴されたコンテンツに関して、端末番号、データ採取時刻、音声又は映像信号から特徴となる成分を抽出した特徴化データを含む端末データを記憶する端末データ記憶部と、
端末番号と、チャンネルコード、音声若しくは映像種別、放送時間若しくは時刻、及び、特徴化データを含む視聴状況データを記憶する視聴状況データ記憶部と、
照合部と
を備えた、分散型照合システムにおける分散型照合方法であって、
前記照合部は、前記視聴状況データのテーブルから照合すべき時刻について、端末データの特徴化データと、自己の持つ局別マスターデータのマスター特徴化データとを比較する照合処理を実行し、照合された場合は、該局別マスターデータで特定されたコンテンツを視聴していると判断し、
前記照合部は、照合されなかった場合、前記マスターテーブルを検索し、検索されたグループ内の照合先の端末に、照合先の端末番号、チャンネルコード、放送時間若しくは時刻、音声若しくは映像種別、照合時刻、要求元の端末番号、特徴化データを含む照合要求データを送信し、
照合先の端末の照合部は、照合要求データの特徴化データと、自己の持つ局別マスターデータのマスター特徴化データとを比較する照合処理を実行し、照合先の端末番号と、チャンネルコード、放送時間若しくは時刻、音声若しくは映像種別、比較時刻、要求元の端末番号、類似度を含む照合結果データを返信し、
前記照合部は、同一グループに一致又は類似する局別マスターデータが照合されなかった場合は、グループ毎に各グループに属する端末番号を記憶したグループリストを参照し、別のグループの端末に対して別のグループのマスターテーブルを要求し、
前記照合部は、別のグループのマスターテーブルを受信すると、該別のグループのマスターテーブルを元に、別のグループの端末に前記照合要求データを送信し、
照合要求データを受けた別のグループの端末の照合部は、前記照合処理を実行し、照合結果データを返信する
ことにより、前記コンテンツの視聴機器により視聴されたコンテンツを照合し、視聴状況データを前記視聴状況データ記憶部に記憶する分散型照合方法が提供される。
【発明の効果】
【００１１】
本発明によると、調査世帯に局別のマスター作成機能を備え、マスター用のチャンネルを固定的でなく割り当てるようにして、分散型照合システム及び方法を提供することができる。
また、本発明によると、一部の調査世帯に局別のマスター作成装置を備えることにより、マスターデータ作成装置の設置／運営費用を抑え、障害・災害時等に対応可能な分散型照合システム及び方法を提供することができる。
また、本発明は、災害、世帯の停電等の障害、通信障害などにより所望の局のマスターデータが取得出来なくなることを防止することができる。
【００１２】
さらに、本発明は、音声や映像データとマスターデータとを照合する照合場所を分散することにより、照合時に集中するセンターへの負荷を軽減し、集計センターへ高性能な照合装置を必要としない調査システムを提供することが出来る。
【図面の簡単な説明】
【００１３】
【図１】マスター割り当てのシステム構成図。
【図２】端末パラメータの説明図。
【図３】マスターの割り当て処理についてのフローチャート。
【図４】グループマスター決定の流れについてのシーケンス図。
【図５】調査端末確認の要求／応答の説明図。
【図６】グループテーブルの説明図。
【図７】ＥＰＧの例。
【図８】マスターテーブルの説明図。
【図９】調査端末の構成図。
【図１０】テレビ等視聴機器と音声／映像取得部の構成図。
【図１１】自己グループ順位１位の調査端末が通信出来ない状態であるときのシーケンス図。
【図１２】グループテーブルが変更された時の例。
【図１３】ネットワーク上へ問い合わせを行い、データ照合を行うシーケンス図。
【図１４】照合要求データフォーマットの説明図。
【図１５】返信する照合結果データフォーマットの説明図。
【図１６】マスターテーブル要求フォーマットの説明図。
【図１７】各端末が持っている視聴状況データのフォーマット。
【図１８】視聴状況データフォーマット初期化状態の説明図。
【図１９】照合済みデータがある視聴状況データの説明図。
【図２０】マスターテーブルの作成方法についての説明図
【図２１】視聴データ照合処理のフローチャート。
【図２２】調査システム構成図。
【図２３】端末データ作成部の構成図。
【図２４】端末データフォーマットの説明図。
【図２５】局別マスターデータ作成部の構成図。
【図２６】局別マスターデータフォーマットの説明図。
【図２７】集計センターのシステム構成図。
【図２８】従来のメディア接触率調査システムの構成図。
【発明を実施するための形態】
【００１４】
１．マスターデータ作成および照合場所を分散化した視聴状況測定システム
図２２に、調査システム構成図を示す。
本調査システムは、例えば、複数の調査世帯装置１と、集計センター３を備える。本調査システムは、調査世帯装置１により、視聴・聴取・接触されたテレビ、ラジオ、ウェブ等のコンテンツの視聴率・聴取率・接触率等の接触状況や視聴率等を集計センター３で得るためのものである。調査世帯装置１は、テレビ、ラジオ、ＰＣ、携帯情報機器等を視聴するためのテレビ等視聴機器１１と、調査端末１２と、通信装置１３と、放送波、ネットワーク等からマスターデータ作成局を受信するための受信部１４を有する。調査世帯装置１は、ネットワーク２を介して集計センター３と通信する。集計センター３は、通信装置３１と、端末データ収集装置３２と、集計部３３を有する。
【００１５】
図９に、調査端末の構成図を示す。
調査端末１２は、例えば、音声／映像取得部１２０と、端末データ作成部１２１と、端末データ記憶部１２２と、セレクター／チューナー部１２３と、局別マスターデータ作成部１２４と、局別マスターデータ記憶部１２５と、局別マスター管理部１２６と、視聴データ照合部１２７と、視聴状況データ記憶部１２８と、通信制御部１２９、処理部１２００を備える。調査端末１２は、テレビ等視聴機器１１からの音声／映像信号を音声／映像取得部１２０によって受信する。また、調査端末１２は、受信部１４からの放送波をセレクター／チューナー部１２３によって受信する。さらに、調査端末１２は、通信制御部１２９によって通信装置１３と通信する。
各調査端末１２は、端末データ記憶部１２２等の適宜のメモリに、グループ毎に、各グループに属する端末番号を記憶したグループリストを予め保持している。
【００１６】
図１０に、テレビ等視聴機器と音声／映像取得部の構成図を示す。
音声／映像取得部１２０は、例えば、入力切替部１２０１と、信号検出部１２０２と、制御部１２０３を備える。入力切替部１２０１はテレビ等視聴機器１１と接続され、制御部１２０３により切替え、テレビ等視聴機器１１から音声／映像信号（モニタ出力アナログ音声信号、モニタ出力アナログ映像信号、イヤホンアナログ音声信号、スピーカーアナログ音声信号、光デジタル音声信号、ＨＤＭＩ信号等）を信号検出部１２０２に接続する。
【００１７】
調査世帯装置１では、対象となるテレビ等視聴機器１１から、まずどのような出力信号を判定に使用するかを決定する。音声／映像取得部１２０は、図１０に示すようにテレビ等視聴機器１１と入力切替部１２０１の入力側に接続された信号を制御部１２０３で切替えながら、信号検出部１２０２で検出し、どの信号が視聴状況測定に対して有効であるかを判断する（視聴機器や視聴機器に接続されたＤＶＲ等外部機器により、視聴状況判定に有効な信号が異なる。）。この処理は、ブルーレイ、ＤＶＲ等外部接続機器を視聴した場合など、同じ視聴機器であっても視聴の仕方によって、判定に使用出来る信号が異なる時に有効な手段である。信号検出部１２０２及び制御部１２０３は、例えば、信号の出力と監視し信号の有無で有効な信号であるかどうかを判断したり、予めプリセットすること又はマニュアルで設定すること等で音声／映像信号を選択することができる。信号検出部１２０２は、選択された音声／映像信号を出力し、制御部１２０３は、マスターデータ種別情報を出力する。
【００１８】
図２３に、端末データ作成部の構成図を示す
端末データ作成部１２１は、例えば、特徴量取得部１２１１と、端末データ記録部１２１２と、時計部１２１３を備える。音声／映像取得部１２０から入力された音声映像信号は、特徴量取得部１２１１に入力される。特徴量取得部１２１１では、選択された音声／映像信号を周波数分析等を行い、視聴ソース判定のための特徴化されたデータを作成する。特徴化されたデータ（特徴化データ、特徴量）とは、例えば、特開平１１−２７５０３２号で開示されたように、音声信号や映像信号からその特徴となる成分を抽出したもの（例えば各通過帯域別の平均振幅を対数変換したパワーのベクトル）である（詳細は後述する）。また、特徴量取得部１２１１では、無音や映像の無い画面を判別した場合は無音や無信号を示す特徴化されたデータを作成する。特徴量取得部１２１１は、特徴化されたデータを端末データ記録部１２１２に受け渡す。
【００１９】
時計部１２１３は通信制御部１２７を通じて校正される。時計の校正は、ＮＴＰ等ネットワークを通じた方法や、電波時計、ＧＰＳなどの方法を利用する。
端末データ記録部１２１２では、特徴量取得部１２１１で特徴化されたデータに、予め設定された端末番号及び視聴機器番号、時計部１２１３より取得したデータ採取時刻、音声映像取得部１２１より受け取ったマスターデータ種別、データサイズなどのヘッダ情報（ヘッダ部）を付加し、所定のフォーマット（後述、図２４）で端末データを作成し、端末データ記憶部１２２に蓄積する。
【００２０】
図２４に、端末データフォーマットの説明図を示す。
端末データ１０１は、例えば、ヘッダ部と特徴化されたデータである特徴化データを含む。ヘッダ部は、端末番号、視聴機器番号、データ採取時刻、マスターデータ種別、データサイズを含む。マスターデータ種別は、例えば、モニタ出力、イヤホン出力、スピーカ出力、光出力、ＨＤＭＩ信号、映像出力、音声出力、光出力、ＴＳ信号等の種別を示す。
【００２１】
図２５に、局別マスターデータ作成部の構成を示す。
局別マスターデータ作成部１２４は、例えば、セレクター／チューナー制御部１２４１と、パラメータ部１２４２と、特徴量取得部１２４３と、時計部１２４４と、マスターデータ記録部１２４５を備える。
予め世帯ごとに決められたマスター局またはチャンネルコードおよびマスターデータ種別を含むコンテンツ情報をパラメータ記憶部１２４２に保持しておき、セレクター／チューナー制御部１２４１はパラメータ１２４２を元にセレクター／チューナー部１２３を制御し、セレクター／チューナー部１２３から信号を受信する。該セレクター／チューナー部出力信号は、音声や映像などの信号の場合や符号化されたデータの場合もある。音声映像信号の場合は、特徴量取得部１２４３に入力され、選択された音声／映像信号を周波数分析等を行い、視聴ソース判定のための特徴化されたデータを作成する。特徴化されたデータ（特徴化データ）とは、例えば、特開平１１−２７５０３２号で開示されたように、音声信号や映像信号からその特徴となる成分を抽出したもの（例えば各通過帯域別の平均振幅を対数変換したパワーのベクトル）である（詳細は後述する）。特徴量取得部１２４３で特徴化されたデータは、マスターデータ記録部１２４５へ入力される。また、光デジタル信号などの符号化されたデータの場合は、そのままマスターデータとしての特徴化データと出来るので、セレクター／チューナー制御部１２４１はパラメータ１２４２で符号化されたデータをセレクター／チューナー部から受信することが分かっている場合は、マスターデータ記録部１２４５へ直接データを入力する。
【００２２】
マスターデータ記録部１２４５は、特徴量取得部１２４３から入力された特徴データまたはセレクター／チューナー制御部１２４１から入力されたデータを特徴化データとし、パラメータ１２４２より得られた端末番号、放送種別、チャンネルコード、マスターデータ種別、音声種別などと、時計部１２４４より得られた放送時刻と、データサイズをヘッダ部として該特徴化データに付加し、所定のフォーマット（後述、図２６）で局別マスターデータを作成し、局別マスターデータ記憶部１２０９に蓄積する。
時計部１２４４は通信制御部１２３を通じて校正される。時計の校正は、ＮＴＰ等ネットワークを通じた方法や、電波時計、ＧＰＳなどの方法を利用する。
【００２３】
図２６に、局別マスターデータフォーマットの説明図を示す。
局別マスターデータ１０２は、例えば、ヘッダ部と特徴化されたデータである特徴化データを含む。ヘッダ部は、端末番号、グループコード、チャンネルコード、マスターデータ種別、音声種別、映像種別、放送時刻、データサイズを含む。マスターデータ種別は、例えば、モニタ出力、イヤホン出力、スピーカ出力、光出力、ＨＤＭＩ信号、映像出力、音声出力、光出力、ＴＳ信号等の種別を示す。音声種別は、例えば、主音声、副音声等の音声チャンネルの種別を示す。枝番は、例えば、特定の時間帯のみ一つの局・チャンネルで二つ以上の番組を放送する際に付加される番号を示す。
【００２４】
図１に、調査世帯のマスター割り当てのシステムの構成図を示す。
調査世帯１に設置される調査端末１２は、視聴対象となるテレビ等視聴機器１１の視聴状況を取得して端末データを作成するとともに、マスターデータの作成を行う。調査世帯はテレビ等視聴機器１１を視聴出来る環境であるため、同視聴機器に入力されている受信部１４を調査端末１２に入力すれば、同視聴機器と同じ放送のマスターデータを作成することが可能である。しかし、一般世帯に大きな装置を設置することが困難であるため、この例では一世帯で作成するマスターデータは１局分にし、調査端末１２を小型化する。また、調査端末１２はアナログ音声、デジタル音声など複数のフォーマットでデータを採取するため、マスターデータも複数のフォーマットを採取することで照合を可能とする。この、調査世帯装置１では「採取する局」「マスターデータ種別」「音声チャンネル」等を予め決めておく（例えば、前述のパラメータ記憶部１２４２等に記憶する）。
【００２５】
分散型照合システムにおいては、調査対象世帯に設置された調査端末１２でマスターデータを作成するが、調査対象世帯を幾つかのグループ３に分け、このグループごとにチャンネル（チャンネルコード）を割り当てる事とする。これらの調査端末１２はネットワーク２で接続されている。
グループの決め方は、例えば次のように予め設定することができる。すなわち、ある放送局やコンテンツプロバイダが視聴可能な地域ごとや、チューナーやＩＰアドレスで選択した放送局やコンテンツプロバイダで取得可能な放送予定表が同一の世帯などで、グループを決定することができる。例えば、地上デジタル放送では、局ごと（ＮＨＫ総合、ＮＨＫ  Ｅテレ、日本テレビ・・・等）に分けることができる。
【００２６】
図２に、端末パラメータの説明図を示す。各調査端末は、「端末番号」「地域番号」「グループコード」「グループ内順位」を、図２の端末パラメータ５０１として予め保持している。
以下に、端末パラメータ５０１の各データの説明を記す。
・端末番号・・・調査対象端末全てがユニークになるように割り付けられている番号。
・地域番号・・・エリアによって受信可能な放送やコンテンツプロバイダが異なる。この地域番号により、マスターデータが作成可能な局やプロバイダを特性する。
・グループコード・・・局やコンテンツプロバイダを特定するコード。同じグループコードを持つ端末は、必ず同じ地域番号となる。
・グループ内順位・・・同一グループ内での優先順位。あるタイミング（時分割、周期的等）で通信可能なグループの内、最も優先順位が高い調査端末は「グループマスター」となり、そのグループのどの端末にチャンネルコードやマスター採取の方式を指定する。
【００２７】
２．マスターの割り当て処理
図３に、マスターの割当て処理についてのフローチャートを示す。また、図４に、グループマスター決定の流れについてのシーケンス図を示す。
各調査端末がどのようなマスターデータを作成するかは、「グループマスター」が放送予定表（番組表など）を基に決定する。この処理は、調査端末の処理部１２００が実行する。
各グループは、対象世帯別の調査期間や機器の故障などの影響により、動作可能な装置が刻々と変化する。これらを管理するために、一定周期又は予め定められた時刻等のタイミングでグループマスターを決定する。
グループマスター決定のフローは、主に、図３のステップＳ１０１〜ステップＳ１０７およびステップＳ１１１となる。
【００２８】
処理部１２００は、マスター割当てを、決められたマスター確認時刻になったら開始する（Ｓ１０１）。放送であればＥＰＧ（電子番組表：Ｅｌｅｃｔｒｉｃ  Ｐｒｏｇｒａｍ  Ｇｕｉｄｅ）が更新されるタイミングなどに合わせるようにしてもよい。通常は、数日間先の番組表が放送局やコンテンツプロバイダから取得可能であるため、マスター確認時刻は１日に１回あれば十分である。ただし、臨時放送などで番組内容が変更される事がある放送などでは、グループマスターや端末は一定周期で番組表を確認し、内容が変更された際に、マスター確認時刻を更新する事が可能である。
処理部１２００は、マスター確認時刻（Ｓ１０１）になったら、調査端末確認の要求を送信する（Ｓ１０２）。もし、処理部１２００は、端末パラメータ（図３参照）グループ内順位が１位であれば、調査端末へ要求を送信する（Ｓ１０３）。
この送信方法は、図４のようにネットワーク上の各調査端末に同報し（Ｓ２０１）、同一グループにある各調査端末がそれぞれ応答する（Ｓ２０２）という方法が可能である。ネットワーク構成により同報範囲を同一グループに限定する事も可能である。
【００２９】
図５に、調査端末確認の要求／応答の説明図を示す。
ステップＳ２０１およびステップＳ２０２において、調査端末確認の要求／応答として送信されるコマンドは、図５のようになる。
【００３０】
図６に、グループテーブルの説明図を示す。
グループテーブル５０２は、地域番号、グループコード、グループ内順位、グループに属する端末番号が記憶される。これらの各データは予め設定され、マスターの割り当て処理等の処理に従い更新・再構築される。
グループ内順位が１位となっている調査端末（例、♯１）では、処理部１２００は、調査端末確認の要求に、予め割り当てられた端末番号、地域番号、グループコードと自己のグループ順位をセットする。そして、処理部１２００は、グループテーブルを参照し、自己と同一のグループ内の端末番号の各調査端末へ、その要求を送信する。さらに、処理部１２００は、グループテーブルのグループ内順位をクリアすることで初期化する。なお、地域番号及び／又はグループコードをさらにクリアするようにしてもよい。処理部１２００は、各調査端末（例、♯２、♯３）が、受信した調査端末確認の要求コマンドとして送信された地域番号およびグループコードが、自己のパラメータ（図３参照）の地域番号とグループコードと一致したならば、図５のフォーマット５０２にて、調査端末確認の応答に、自己の端末番号、地域番号、グループコードグループ順位をセットして、応答する。
グループ内順位１位の調査端末（例、♯１）の処理部１２００は、は、各調査端末（例、♯２、♯３）から応答を返す事が可能な一定時間待つ（Ｓ１０４）。応答してきた調査端末があった場合、処理部１２００は、図５に示すフォーマットの受信データ中の、端末番号に対応するグループ内順位等のデータを、図６のグループテーブルに記憶する。
【００３１】
処理部１２００は、全ての同一グループの調査端末から応答が戻り得る時間を応答タイムアウト時間と予め設定し、このタイムアウトになるまで、調査端末からの応答を待つ（Ｓ１０７）。処理部１２００は、タイムアウトとなり、１台以上の端末から応答を受信出来ていたら（Ｓ１０８）、応答を受信した全ての調査端末の情報から、図６のグループテーブル５０３を再構築する。ここでは、処理部１２００は、応答しなくなった端末をリストから外し、グループ内順位をソートするなどして、グループ順位の再構築を行う（Ｓ１０９）。処理部１２００は、そこで更新されたグループテーブルを、同一グループの各調査端末に送信する（Ｓ１１０，  Ｓ２０４）。グループテーブルを受信した調査端末では、処理部１２００は、自己のパラメータ５０１のグループ内順位を、図６のようなフォーマットで受信したグループテーブルを元に更新する（Ｓ２０５）。各調査端末では、処理部１２００は、グループテーブルの受信確認を行う（Ｓ２０６）。この時の通信内容は、通信の確認の意味しか持たないようにしてもよいし、例えば更新されたグループ内順位を含めた図５のようなフォーマットで送信するようにしてもよい。
【００３２】
次に、処理部１２００は、放送局やコンテンツプロバイダから、放送予定表を取得する（Ｓ１１１）。この予定表は、例えばデジタル放送のＥＰＧ（電子番組表）などを示す。図７のようにＥＰＧでは、時間帯によって、複数チャンネルで同じ放送をしたり、２カ国語や多重音声による放送をしたりなど、番組の放送タイプの情報が取得可能である。
処理部１２００は、これらの情報を使いマスターテーブルを作成する（Ｓ１１２）。
【００３３】
図８に、マスターテーブルの説明図を示す。ここでのマスターデータ種別は、視聴機器により視聴状況判定に使用する信号が異なるため、これらに対応したマスターを採取するためである（図１０参照）。
【００３４】
図２０に、マスターテーブルの作成方法についての説明図を示す。以下に、処理部１２００が、マスターテーブルを作成する（Ｓ１１２）の具体的な作成方法について説明する。
・処理部１２００は、ＥＰＧからは、チャンネルコード、放送開始時間、放送分数、音声数、映像数を取得する。なお、映像数については、例えば、プロ野球放送で“普通のカメラ”とずっと監督の映像が映っている映像が流れる“監督カメラ”とがある場合、映像数は２となる。
・処理部１２００は、この音声数、映像数から、マスターテーブルの音声種別、映像種別を割り振る。
・処理部１２００は、地域番号、グループコードはプリセットで、端末番号はシーケンシャル又はランダム等で適宜プリセットしておく。
・マスターデータ種別は、視聴状況調査の対象とする機器（テレビ等）から、どの端子を使うかによって、どのようなマスターデータと比較するかが異なるため、この種別が割当てられる。どのようなデータを取るべきかは、予め決めておく。例えば、図のように、入力端子とマスターデータ種別を割り付ければ、アナログ音声／アナログ映像／デジタル音声／デジタル映像の４種類となる。種別は色々と増やすことも考えられるが、調査形態で決めることが出来る。
【００３５】
処理部１２００は、このマスターテーブルを、各調査端末に送信する（Ｓ１１３，  Ｓ２０８）。各調査端末では、処理部１２００は、マスターテーブルを受信したら、全マスターテーブル（自己の保存すべきマスター以外の情報も含む）を保存し（Ｓ２０９）、受信確認の応答を行う（Ｓ２１０）。
【００３６】
次に、図１１に、自己グループ順位１位の調査端末が通信出来ない状態であるときのシーケンス図を示す。もし、グループ順位１位の調査端末が通信出来ないと、グループ順位２位以下の調査端末は、図３のステップＳ１１４、ステップＳ１１５のように調査端末確認の要求待ちでタイムアウトとなる。処理部１２００は、タイムアウトになると自己グループ順位を１上げて、それまでグループ順位２位だったマスターはグループ順位１となり、マスター確認時刻になると、ステップＳ１０１及びステップＳ１０２を経て、調査端末確認の要求を送信する（Ｓ１０３，Ｓ３０１）。以下、処理部１２００は、それまでに保持していたマスターテーブルを元に、グループ順位が自己順位より低い端末に対して、確認要求を出す。
【００３７】
なお、グループ順位１位の調査端末が通信不可の場合はステップＳ１０８に示す応答端末が１台も無い状態となる。この時には、自己グループ順位を予め決めておいた最下位の順位にして、自己パラメータを書き換える。
また、グループ順位が２位以下の調査端末が通信出来ない状態になった時は、その２位以下の調査端末はグループテーブルから外される。この２位以下の調査端末が一時的な通信不良等で機器は動作しながら通信が出来ない状態だった場合は、ステップＳ１１４〜ステップＳ１１６が順に繰り返され、最後はグループ順位１位となりステップＳ１０４〜ステップＳ１０８の処理を行った結果、応答を受信できないので、ステップＳ１１７の自己グループ順位を最下位順位にすることになる。
【００３８】
図１２に、グループテーブルが変更された時の例を示す。処理部１２００は、マスター確認時刻（Ｓ１０１）に達する前のそのグループテーブルが図（Ａ）のようになっていた時に、グループ内順位１位および４位の端末が通信出来なくなったとした場合、ステップＳ１０７の後、図（Ｂ）のように通信出来た端末だけで更新され、さらにステップＳ１０９で、図（Ｃ）のようにソートして、新しいグループテーブルを作る。
このテーブルを元にマスターテーブル（図８）が作られる。
さらに、新たに設置された端末や上記処理で通信が出来ずグループテーブルから漏れた端末は、次のマスター確認時刻に、受信した調査端末確認の要求（Ｓ２０１）に応答して、又は、自ら調査端末確認の応答をグループ内１位の端末に送信して、グループに加わる事が出来る。
【００３９】
本実施の形態では、グループテーブル作成の際に、同一グループの端末に同報したが、グループ順位１位の端末が２位以下に順に問い合わせる形や、一つ下の順位の端末（応答が無い時はその次の順位）に問い合わせるという方法でも実現可能である。
このように同報が出来ない場合は、新規に増えた調査端末や通信不良等によりグループテーブルから除外された調査端末は、そのグループのいずれかの端末からグループテーブルを採取して、その時点のグループ順位１位の端末に端末追加要求を送信する。グループ順位１位の端末は、追加された新規端末を最下位順位とした新たなグループテーブルを作成し、次回のマスター確認時刻に反映させる。
【００４０】
３．照合処理
図１３に、ネットワーク上へ問い合わせを行い、データ照合を行うシーケンス図を示す。この処理は、調査端末の例えば視聴データ照合部１２７−１が実行する。
まず、視聴データ照合部１２７−１は、自己の視聴状況データのテーブル等に基づき、照合すべき時刻を求め、その照合すべき時刻のマスターテーブル（図８）を検索し（Ｓ５０１）、照合すべきマスターが自端末であれば、自局の局別マスターデータの特徴化データと比較し、照合すべきマスターが他の端末であれば、その端末に照合要求データを送信する（Ｓ５０２）。
【００４１】
図１４に、照合要求データフォーマットの説明図を示す。照合要求データは、要求先（照合先）の端末番号と、マスターテーブルにあるチャンネルコード、放送開始時刻、放送分数、音声種別、映像種別、マスターデータ種別に加え、データ採取時刻、照合開始時刻、要求元端末番号、視聴機器番号、データサイズ、特徴化データを含む。照合開始時刻は局別マスターデータの中から照合を開始する時刻を示すものとなり、放送開始時刻と同じかそれ以降となる。リアルタイムの視聴のみを判定する際には、照合開始時刻とデータ採取時刻は同じとなり、録画視聴の番組を判定する際には、データ採取時刻以前の時刻をセットし、要求先の照合では照合開始時刻〜データ採取時刻の間の類似度を算出する。
要求先の端末では、視聴データ照合部１２７−１は、照合要求データの特徴化データに基づき自己の持つ局別マスターデータの特徴化データとを比較し（Ｓ５０３）、比較時刻、類似度を求め、これらデータを含む照合結果データを返信する（Ｓ５０４）。
【００４２】
図１５に、返信する照合結果データフォーマットの説明図を示す。
視聴データ照合部１２７−１は、マスターテーブルを元に照合要求を行うが、その調査端末が返信をしなかった場合（Ｓ５０５）、同じマスターを持つ別の調査端末要求する（Ｓ５０６）。
同一グループに一致するマスターが無かった場合（Ｓ５０９）は、視聴データ照合部１２７−１は、別のグループに対してマスターテーブルを要求する（Ｓ５１０）。
【００４３】
図１６に、マスターテーブル要求フォーマットの説明図を示す。マスターテーブル要求は、地域番号、グループコードの他、マスターテーブルとして参照したい時刻の範囲（マスター対象開始時刻・終了時刻）を指定する。また、各調査端末は、端末データ記憶部１２２等の適宜のメモリに、グループ毎に、各グループに属する端末番号を記憶したグループリストを予め保持している。なお、調査端末の増減、グループ変更等の変更があった場合は、マニュアル又は、変更した調査端末からの通知信号により、グループリストを自動的に変更するようにしてもよい。この要求先は、その各グループに属する調査端末なら全て保存されているため（Ｓ１１２，  Ｓ２０９）、視聴データ照合部１２７−１は、グループリストを参照し、各グループに属する任意の端末を選択することができる。視聴データ照合部１２７−１は、その端末が通信エラー等で応答が無かったり、参照したい時刻の範囲のマスターテーブルを持ってなく結果データの返信がなかったりした場合は、グループリストを参照し、別の端末に問い合わせを行う。
【００４４】
マスターテーブルを要求された調査端末では、視聴データ照合部１２７−１又は処理部１２００は、そのグループのマスターテーブル５０４を返信する（Ｓ５１１）。
視聴データ照合部１２７−１は、このマスターテーブルを元に照合先を判別する（Ｓ５１２）。以下は、上述と同様に、視聴データ照合部１２７−１は、各局別マスターデータを持つ調査端末に照合要求データを送信し（Ｓ５１３）、要求を受け取った調査端末では視聴データ照合部１２７−１は、上述のような特徴化データの照合処理をし（Ｓ５１４）、結果を返信する（Ｓ５１５）。
【００４５】
この照合順は、過去の履歴からデータ採取時刻は、リアルタイムでＸチャンネルを視聴しているケースが多い、とか、Ｙというシリーズ番組を定期的録画視聴しているなどの過去の傾向が分かれば、そのチャンネルや番組を優先して比較する事により、通信頻度や処理時間の短縮をする事が可能である。
このような処理は、番組情報と、自己調査端末の視聴状況がその番組情報と関連して分かる本システムにより実現出来る方法である。
【００４６】
図２１に、視聴データ照合処理のフローチャートを示す。以下の各ステップは、視聴データ照合部１２７が実行する。
まず、視聴データ照合部１２７は、端末データ記憶部１２２のデータ数から、データが増加しているかどうかチェックする（Ｓ４０１）。もし、増加していたら（Ｓ４０２）、所定のフォーマットで視聴状況データ（後述する図１０）を作成し、それを視聴状況データ記憶部１２２に追加する（Ｓ４０３）。Ｓ４０３で新たに作成された視聴状況データを、端末データ記憶部１２２を参照して、端末番号、視聴機器番号、データ採取時刻、マスターデータ種別、データサイズおよび特徴化データを、端末データ１０１からコピーし、状態を未照合に設定し、グループコード、チャンネルコード、音声種別、映像種別、放送時刻を空白の状態として、作成する。
【００４７】
続いて、視聴状況データ記憶部１２８を参照し、視聴状況データの状態を確認し、未照合のデータがあるかをチェックする（Ｓ４０４）。もし、未照合データがあれば（Ｓ４０５）、そのデータの特徴化データから無音や無信号であるかどうかをチェックする（Ｓ４０６）。
もし、一定時間の無音や無信号を検出したら（Ｓ４０７）、視聴状況データの状態をデータなし（無視聴）とし、グループコード、チャンネルコード、音声種別、映像種別、放送時刻は空白のままにしておく。
【００４８】
Ｓ４０７で無音や無信号では無かったら、その視聴状況データの特徴化データを、自己が保存する局別マスターデータ記憶部１２５に蓄積されている局別マスターデータの特徴化データと照合をする（Ｓ４０９）。この照合結果、類似度が高ければ（Ｓ４１０）、所定の時刻範囲で、その局別マスターデータ１０２のヘッダ部からグループコード、チャンネルコード、音声種別、映像種別、放送時刻をセットし、状態を照合済みとする（Ｓ４１１）。ここで、照合における所定の時刻範囲は、例えば、データ採取時刻又はデータ採取時刻から予め決められた時刻を遡った時刻を「照合開始時刻」とし、予め定められた時間（時刻範囲）とすることができる。ここでの照合開始時刻は、視聴状況データ１０３を照合したい放送時刻の開始時刻を示し、放送のリアルタイム視聴や録画番組のタイムシフト視聴を調査するために使用する。もし、リアルタイム視聴だけを調査する場合は、照合開始時刻はデータ採取時刻と一致し、タイムシフト視聴を含めて調査する場合の照合開始時刻はデータ採取時刻より遡った時刻となる。
【００４９】
Ｓ４１０で類似するマスターデータが無かった場合は、図１３のシーケンス図及び図１４の照合要求フォーマットに示すように、ネットワーク上の他の調査世帯１に対してマスターデータへの問い合わせを行い、調査世帯１からの応答から照合可能なマスターデータの状態（有無等）を確認する（Ｓ４１２）。未照合のマスターデータが見つかったら、未照合のマスターデータを持つ調査世帯１の調査端末１２に対し、照合要求データを送信する（Ｓ４１４）。未照合マスターデータを持つ調査端末は、受信した照合要求データの特徴化データと自調査端末の持つマスタデータの特徴化データとを照合し、図１５に示すようなフォーマットで類似度を含んだ照合結果データ１０９返信するため、それを受信して照合結果データ１０９を内部の適宜の記憶部に保存する（Ｓ４１５）。
【００５０】
Ｓ４１３で全てのマスターデータとの照合が終わったら、内部に保存した照合結果データ１０９の類似度を比較し、規定値以上の類似度があるマスターデータがあるかを確認する（Ｓ４１６）。この規定値とは、類似度が一定以上高いだけでは無く、複数の高い類似度のマスターデータがあった場合は、前後の類似度から判断するなど複数の条件から決められた値とすることができる。
【００５１】
Ｓ４１６で規定値以上の類似度のある照合結果データが見つかった場合は、照合結果データのヘッダ部からグループコード、チャンネルコード、音声種別、映像種別、放送時刻をセットし、状態を照合済みとして、視聴状況データを作成する（Ｓ４１７）。
Ｓ４１６で規定値以上の類似度があるマスターデータが見つからなかった場合は、状態を接触状況不明で照合済みとして、視聴状況データを作成する（Ｓ４１９）。接触状況不明には、ゲーム使用やブルーレイディスク、ＤＶＤディスクの再生なども考えられるが、音声／映像取得部１２０によって取得したマスターデータ種別情報により、視聴機器１１の使用状態が特定出来る場合は、使用状態別に予め決められたグループコード、チャンネルコード、枝番を視聴状況データ１０３にセットする。
【００５２】
４．照合結果・集計センター
視聴状況データは、照合前にデータを採取した段階では、図１８のように各採取時間のデータは未照合の状態となっている。これに対し、照合をした結果、図１９のようなデータとなる。
【００５３】
図１７に、各端末が持っている視聴状況データフォーマットの説明図を示す。
視聴状況データ１０３は、例えば、端末データ１０１から得られた端末番号、視聴機器番号、データ採取時刻、マスターデータ種別、データサイズおよび特徴化データと、局別マスターデータ１０２または類似と見なした照合結果データから得られたグループコード、チャンネルコード、音声種別、映像種別、放送時刻を含む。データサイズ、特徴化データを除く部分を視聴状況判定ヘッダとし、この視聴状況判定ヘッダは決められた時刻又は所定周期等に通信装置１３およびネットワーク２を介し、集計センター３に送信される。
視聴状況データは、照合前にデータを採取した段階では、図１８のように各採取時間のデータは未照合の状態となっている。これに対し、照合をした結果、図１９のようなデータとなる。
【００５４】
図１８に、視聴状況データの初期化状態の説明図を示す。
初期化時点の視聴状況データ１０４は、端末番号、視聴機器番号、データ採取時刻、マスターデータ種別、データサイズ、特徴化データは、端末データ１０１よりセットされるが、グループコード、チャンネルコード、音声種別、映像種別、放送時刻は空白となる。図１１の例では、図９のフローチャートＳ２で端末データ蓄積部１２２に、２０１０年１０月１０日１０：００：００、同日１０：０１：００、同日１０：０２：００の３個の端末データが増えているのを検出し、Ｓ３で視聴状況データを作成した時の状態を示している。
【００５５】
図１９に、照合済みデータがある視聴状況データの説明図を示す。
無音／無信号の検出を含め照合が完了すると状態が変更され、特定出来たグループコードやチャンネルコード、音声種別、映像種別、放送時刻がセットされる。図１２の例では、図９のフローチャートＳ８で２０１０年１０月１０日１０：００：００は未視聴と判定し、Ｓ４１７で２０１０年１０月１０日１０：０１：００は地上デジタル放送１０１チャンネルの枝番０の２０１０年１０月０９日２０：３０：００の放送と類似し、Ｓ４１８で２０１０年１０月１０日１０：０２：００は視聴状況不明であったが、音声／映像取得部１２０によって取得したマスターデータ種別情報によってＤＶＤ再生と判定出来た場合の視聴状況データの状態を示している。
【００５６】
図２７に、集計センターのシステム構成図を示す。
集計センター４は、例えば、通信装置４１と、端末データ収集装置４２と、集計部４３と、視聴率データ等の出力ファイル４４を備える。
調査世帯１から送信された視聴状況データは、ネットワーク２を介し、通信装置４１で受信する。通信装置４１は、受信した視聴状況データを端末データ収集装置４２の収集部４２１へ送る。収集部４２１は、調査世帯の端末番号および視聴機器ごとに視聴状況データファイル４２２を作成し、収集状況を端末データ収集情報ファイル４２３を更新する。
【００５７】
集計部４３は調査毎に決められた周期で、視聴状況データファイル４２２のデータを集計し、各局の調査対象期間の視聴率やコンテンツ接触率などの集計データファイル４４を作成する。なお、その際には端末データ収集情報ファイル４２３に保存されている収集件数を収集率として付加する場合もある。
【００５８】
５．特徴化されたデータの計算例
以下に、特徴化されたデータ（特徴化データ）を計算するための処理の一例（特開平１１−２７５０３２号公報参照）を説明するが、これに限らず適宜の処理方法を用いることができる。
まず、１０秒区間の振幅データをさらに１００のフレームという時間枠に分割し、その各々の平均振幅Ｖｊ（ｉ）に置き換える。１フレームはすなわち１００ミリ秒区間である。第ｉ番フレーム区間に採取された振幅データの総数をＮ、この総数Ｎの中で、第ｊ番帯域フィルタ出力の第ｋ番データの振幅をＳｊ（ｋ）とすると、第ｉ番フレーム区間の平均振幅Ｖｊ（ｉ）は次式（１）で求まる。
【数１】
0005921033.tif 000002
【００５９】
次に、第ｉ番フレーム区間における、第ｊ番帯域フィルタ出力の平均振幅Ｖｊ（ｉ）を、次式（２）により対数変換し、パワーＰｊ（ｉ）を求める。
【数２】
0005921033.tif 000003
【００６０】
このパワーＰｊ（ｉ）は４つの帯域の各々について求められ、この４つの帯域に分割算出されたパワーのベクトルをパワーベクトルＰ（ｉ）とし、次式（３）のように表し、これを第ｉ番フレーム区間の特徴化データとする。
【数３】
0005921033.tif 000004
【００６１】
以上のようなフレーム区間の特徴化データは１００のフレームの各々について求められ、この１００フレームの特徴化データのベクトルをブロックデータＣＢ（ｉ）として次式（４）のように定義し、これを今回測定したオーディオ信号にかかる特徴化データとする。
【数４】
0005921033.tif 000005
【００６２】
特徴量取得部１２２、３１３等は以上のようにして、各測定時期毎に、受信している未知の放送局Ｒに関する次式（５）に示すブロックデータＣＢＲ（ｉ，ｂ）を生成する。
【数５】
0005921033.tif 000006
【産業上の利用可能性】
【００６３】
本発明は、テレビ、パソコン、ラジオ、携帯機器等の視聴率・聴取率・メディア接触率等の様々な調査に適用することができる。本発明は、視聴データ、聴取データ、接触データ等の各種メディアやコンテンツ等を視聴したデータや、それによる視聴率、聴取率、接触率等の処理に適用することができる。また、端末ＩＤとしては、調査端末の識別情報以外にもテレビ、ラジオ、ＰＣ、携帯型調査端末等の識別情報を用いたり、また、付加してもよい。
【符号の説明】
【００６４】
１  調査世帯装置
１１  テレビ等視聴機器
１２  調査端末
１３  通信装置
１４  アンテナ
２  ネットワーク
３  集計センター
３１  通信装置
３２  端末データ収集装置
３３  集計部
【図１】
0005921033.tif 000007
【図２】
0005921033.tif 000008
【図３】
0005921033.tif 000009
【図４】
0005921033.tif 000010
【図５】
0005921033.tif 000011
【図６】
0005921033.tif 000012
【図７】
0005921033.tif 000013
【図８】
0005921033.tif 000014
【図９】
0005921033.tif 000015
【図１０】
0005921033.tif 000016
【図１１】
0005921033.tif 000017
【図１２】
0005921033.tif 000018
【図１３】
0005921033.tif 000019
【図１４】
0005921033.tif 000020
【図１５】
0005921033.tif 000021
【図１６】
0005921033.tif 000022
【図１７】
0005921033.tif 000023
【図１８】
0005921033.tif 000024
【図１９】
0005921033.tif 000025
【図２０】
0005921033.tif 000026
【図２１】
0005921033.tif 000027
【図２２】
0005921033.tif 000028
【図２３】
0005921033.tif 000029
【図２４】
0005921033.tif 000030
【図２５】
0005921033.tif 000031
【図２６】
0005921033.tif 000032
【図２７】
0005921033.tif 000033
【図２８】
0005921033.tif 000034